(57)【要約】      （修正有） 【課題】凹凸曲面や直角面に安定して取り付けることができ、フックやクリップ機能を同時に使えるようにしたフックを提供する。【解決手段】接合用ちょう番１２の両サイド（左右）の各々に、Ｌ型フック部材１，２及びコの字型フック部材３，４を設け、フック部材の背面にマグネットを取り付けた構造とする。【選択図】図１
2006296643.tif 000002
【特許請求の範囲】
【請求項１】
（ 「タイプ ＭＤＦ1-4（ａ）」＝ 主タイプＩ  ：  図1、10、11、12、14参照）
今回発明した「マグネット式ダブルフック」の主タイプＩである。マグネット付ヒンジ(ちょう番)構造により鋼製材の凹凸曲面・直角面・平面等に部材を取付け可能な機能を有し、「各種フック部材（ＨＫ）」の組み合わせにより「掛けフックや紙片固定用クリップ」として利用できる機能を持つ。（以下、特に図1斜視図、図11分解図を参照のこと。）
図1の斜視図に示すように、この「マグネット式ダブルフック（タイプ ＭＤＦ1-4（ａ））」は、基本構造として「フック部材ＨＫ1（1）とフック部材ＨＫ3（3）のふたつのフックを接合用ちょう番（12）によりつなぎ接合した形」を持っている。詳しく説明していくと、「Ｌ型の掛けフック機能であるフック部材ＨＫ1（1）」の下側に「紙片固定用クリップ機能であるフック部材ＨＫ2（2）」を「接合用ちょう番（12）の片側平板」にはさみ合わせる形で取り付ける。そして、「コの字型の掛けフック機能であるフック部材ＨＫ3（3）」の下側に「同じく掛けフック機能であるフック部材ＨＫ4（4）」を「接合用ちょう番（12）のもう一方の片側平板」にはさみ合わせる形で取り付ける。フック部材ＨＫ3（3）とフック部材ＨＫ4（4）の間には、輪ゴムを2本程度通すことができる小さな隙間を設ける。「フック部材ＨＫ1（1）とフック部材ＨＫ2（2）を合わせたフック先端の掛け部分」には、上下に軟質樹脂ストッパーＳＰ2（16）を取付け、物を掛けたときに落ちないようにする。フック部材ＨＫ1（1）とフック部材ＨＫ3（3）の「物を掛ける垂直位置」に「段差（ｈ1）」を設けて、ふたつの物をかさならずに掛けられるようにする（図11上のｈ1参照）。フック（ＨＫ1（1）、ＨＫ3（3））に使い勝手よく物を掛けられると同時に、フック（ＨＫ2（2）、ＨＫ4（4））によりメモクリップや輪ゴム掛けとしても利用できるので、多機能性を持って幅広い使い方ができる。
次に、凹凸曲面・直角面対応の取付け機能として、ヒンジ（ちょう番）部分について説明する。この接合用ちょう番（12）は、左右ふたつのフック構成部分をつなぎ合わせており（ＨＫ1・ＨＫ2＋ＨＫ3・ＨＫ4）、フックＨＫ1（1）の背面とフックＨＫ4（4）の背面それぞれに「強力マグネット（13）、軟質樹脂シート（14）、軟質樹脂ストッパーＳＰ1（15）×2個」を取り付けている。直接マグネットに接しているフック部材「ＨＫ1（1）、ＨＫ4（4）」は鋼製材質としており、マグネットの磁力を増強するヨーク（継鉄）機能を持つ。フック部材先端まで伝播している磁場の外部への影響を抑えるため、フック露出部表面には薄口ビニール材でコーティングを施す。さらにマグネットの磁力を増強したタイプとして、「接合用ちょう番（12）、フック部材ＨＫ2（2）、フック部材ＨＫ3（3）」のすべてを鋼製材とし、すべての露出部表面に薄口ビニール材でコーティングを施した仕様を設ける。マグネット（磁石）の採用する種類としては、1例として、最も優れた磁力機能を有するといわれる「希土類・ネオジム」を用いる。強力マグネット（13）の両側には2個の軟質樹脂ストッパーＳＰ1（15）を設け、マグネットとストッパー表面に段差（ｌ1）を形成する（図12上、「ｌ1のあき」を参照）。この「ｌ1のあき」は、マグネットと取付け対象物の間に「ｌ1の隙間」を形成するので、マグネットの吸着力でなく吸引力で取り付く機能となっており、そのためマグネットが直接対象面に接しないため「対象物表面を傷つけず、且つ対象物の表面温度による影響を受けて温度が上がり磁力が減少するという欠点をなくす」という利点を持つ。一般的に、磁石の磁力（特にネオジム磁石の磁力）は温度が上がると磁力が低下する特性を持つが、「ｌ1の隙間」により接触温度の影響を遮断している。ヨークにより磁力を増強したネオジム磁石は丸型1個でも吸引力のみで十分取り付く力があり、取付け例の図4〜9で示したように色々な備品等を掛けることが可能である。
このように請求項1として定義する構造を詳しく説明してきたが、部材について簡単にまとめると、「4つのフック部材ＨＫ1（1）、ＨＫ2（2）、ＨＫ3（3）、ＨＫ4（4）と、接合用ちょう番（12）、強力マグネット（13）、軟質樹脂シート（14）、軟質樹脂ストッパーＳＰ1（15）、軟質樹脂ストッパーＳＰ2（16）により形成されたマグネット式ダブルフック」を請求項1として定義する。
【請求項２】
（ 「タイプ ＭＤＦ2-4（ａ）」 = 主タイプII  ：  図2、11、14参照）
今回発明した「マグネット式ダブルフック」の主タイプIIである。請求項1の「フック部材ＨＫ3（3）とフック部材ＨＫ4（4）」の部分を、別のフック部材「フック部材ＨＫ1（1）とフック部材ＨＫ5（5）」に取り替えたもので、フック部材ＨＫ1（1）とフック部材ＨＫ5（5）の間には、輪ゴムを2本程度通すことができる小さな隙間を設ける。このフック部材ＨＫ5（5）は輪ゴム掛け機能を持つ。またフック部材ＨＫ1（1）の上面片側に軟質樹脂ストッパーＳＰ2（16）を取り付ける。ヒンジ部左右の両サイドにＬ型フック部を形成し、左片側にクリップ機能、右片側に輪ゴム掛け機能をあわせ持つ。
【請求項３】
（ 「タイプ ＭＤＦ2-5（ａ）」 = 主タイプIII  ：  図3、11、14参照）
今回発明した「マグネット式ダブルフック」の主タイプIIIである。請求項1の「フック部材ＨＫ3（3）とフック部材ＨＫ4（4）」の部分を、別のフック部材「フック部材ＨＫ2（2）とフック部材ＨＫ1（1）」に取り替えたもの。ふたつのフック部材ＨＫ2（2）はクリップ機能を持つ。「フック部材ＨＫ1（1）、ＨＫ2（2）の先端上下」に軟質樹脂ストッパーＳＰ2（16）を取り付ける。ヒンジ部左右の両サイドに、同じ機能の「Ｌ型フック部（掛け機能+クリップ機能）」を形成する。
【請求項４】
（ 「タイプ ＭＤＦ 1-1（ａ）」 = 基本型Ｉ  ：  図11、13、14左上 参照）
今回発明した「マグネット式ダブルフック」の基本型Ｉである。図14のＭＤＦ 1-1（ａ）に示すように、フック部材ＨＫ1（1）とフック部材ＨＫ6（6）を接合用ちょう番（12）でつなぎ合わせ、ＨＫ1（1）の先端上下に軟質樹脂ストッパーＳＰ2（16）を取り付けたもの。「請求項1」の基本構造である。背面のマグネット部分は、請求項1と同じ構造を成す（この背面マグネット部分の基本構造は、請求項1〜16すべてに共通するものであり、凹凸曲面や直角面に取付け可能な機能を有する）。フックＨＫ1、ＨＫ6を使った掛けフック機能を持つ。
【請求項５】
（ 「タイプ ＭＤＦ 2-1（ａ）」 = 基本型II  ：  図11、13、14右上 参照）
今回発明した「マグネット式ダブルフック」の基本型IIである。図14のＭＤＦ 2-1（ａ）に示すように、左側のフック部材ＨＫ1（1）と右側のフック部材ＨＫ1（1）を接合用ちょう番（12）でつなぎ合わせ、それぞれＨＫ1（1）の先端上下に軟質樹脂ストッパーＳＰ2（16）を取り付けたもの。「請求項2、3」の基本構造である。背面のマグネット部分は、請求項1と同じ構造を成す。ふたつのフックＨＫ1使った掛けフック機能を持つ。
【請求項６】
（ 「タイプ ＭＤＦ 1-2（ａ）」   ：  図13、14参照）
「請求項4（基本型Ｉ）」のフック部材ＨＫ1（1）の下部にフック部材ＨＫ2（2）を取り付け、クリップ機能を付加したもの。
【請求項７】
（ 「タイプ ＭＤＦ 2-2（ａ）」   ：  図13、14参照）
「請求項5（基本型II）」の右側フック部材ＨＫ1（1）の下部にフック部材ＨＫ2（2）を取り付け、クリップ機能を付加したもの。
【請求項８】
（ 「タイプ ＭＤＦ 1-3（ａ）」   ：  図13、14参照）
「請求項4（基本型Ｉ）」のフック部材ＨＫ6（6）をなくして、かわりにこの部分に「フック部材ＨＫ3（3）、フック部材ＨＫ4（4）」を取り付けたもの。フック部材ＨＫ3（3）とフック部材ＨＫ4（4）の間には、輪ゴムを2本程度通すことができる小さな隙間を設ける。コの字フックＨＫ3（3）は一般の掛けフックとして、またフックＨＫ4（4）は輪ゴム掛けに利用できる。
【請求項９】
（ 「タイプ ＭＤＦ 2-3（ａ）」   ：  図13、14参照）
「請求項5（基本型II）」の左側フック部材ＨＫ1（1）の下にフック部材ＨＫ5（5）を取り付けたもの。フック部材ＨＫ1（1）とフック部材ＨＫ5（5）の間には、輪ゴムを2本程度通すことができる小さな隙間を設ける。フックＨＫ5（5）は輪ゴム掛けに利用できる。
【請求項１０】
（ 「タイプ ＭＤＦ1-5（ａ）」   ：  図13、14参照）
「請求項4（基本型Ｉ）」の右側フック部材ＨＫ1（1）の下にフック部材ＨＫ2（2）を取り付け、左側フック部材ＨＫ6（6）の上にフック部材ＨＫ7（7）を取り付けたもの。形状からもわるようにフック部材ＨＫ7（7）はクリップ機能を持つ。
【請求項１１】
（ 「タイプ ＭＤＦ3-1（ａ）」   ：  図13、15参照）
「請求項4（基本型Ｉ）」の右側フック部材ＨＫ1（1）の下にフック部材ＨＫ9（9）を取り付け、左側フック部材ＨＫ6（6）の上にフック部材ＨＫ8（8）を取り付けたもの。フック機能は請求項4（基本型Ｉ）と同じであるが、部材ＨＫ8（8）と部材ＨＫ9（9）により強固で安定した構造を形成する。
【請求項１２】
（ 「タイプ ＭＤＦ4-1（ａ）」   ：  図13、15参照）
「請求項5（基本型II）」の右側フック部材ＨＫ1（1）の下にフック部材ＨＫ9（9）を取り付け、左側フック部材ＨＫ1（1）の上にフック部材ＨＫ9（9）を取り付けたもの。フック機能は請求項5（基本型II）と同じであるが、ふたつの部材ＨＫ9（9）により強固で安定した構造を形成する。
【請求項１３】
（ 「タイプ ＭＤＦ3-2（ａ）」   ：  図13、15参照）
「請求項4（基本型Ｉ）」の接合用ちょう番（12）の右側（ＨＫ1下部）にフック部材ＨＫ10（10）を取り付け、接合用ちょう番（12）の左側（ＨＫ6上部）にフック部材ＨＫ10（10）を取り付けたもの。形状からもわるようにフック部材ＨＫ10（10）はクリップ機能を持つ。
【請求項１４】
（ 「タイプ ＭＤＦ4-2（ａ）」   ：  図13、15参照）
「請求項5（基本型II）」の接合用ちょう番（12）の右側（ＨＫ1下部）にフック部材ＨＫ10（10）を取り付け、接合用ちょう番（12）の左側（ＨＫ1上部）にフック部材ＨＫ10（10）を取り付けたもの。形状からもわるようにフック部材ＨＫ10（10）はクリップ機能を持つ。
【請求項１５】
（ 「タイプ ＭＤＦ3-3（ａ）」   ：  図13、15参照）
「請求項4（基本型Ｉ）」の接合用ちょう番（12）の右側に、ＨＫ1（1）をなくして代わりに「フック部材ＨＫ9（9）とフック部材ＨＫ11（11）」を取り付けたもの。形状からもわるようにフック部材ＨＫ11（11）はクリップ機能（ヒンジ軸に対して直角）を持つ。
【請求項１６】
（ 「タイプ ＭＤＦ4-3（ａ）」   ：  図13、15参照）
「請求項5（基本型II）」の接合用ちょう番（12）の右側に、ＨＫ1（1）をなくして代わりに「フック部材ＨＫ9（9）とフック部材ＨＫ11（11）」を取り付けたもの。形状からもわるようにフック部材ＨＫ11（11）はクリップ機能（ヒンジ軸に対して直角）を持つ。
【請求項１７】
（図14、15参照）
前述の（請求項1）から（請求項16）の全てにおいて、強力マグネット（13）の背面に鋼製平板（ヨーク）を直接取り付け、この鋼製平板（ヨーク）の背面に「磁力伝播を遮断する軟質樹脂シート」を取り付け、この「強力マグネット+鋼製平板（ヨーク）+磁力伝播を遮断する軟質樹脂シート」をフック部材ＨＫに取り付けたマグネット式ダブルフック。フックやちょう番部分に磁力が伝播しない。
【発明の詳細な説明】
【技術分野】
【０００１】
本発明は、凹凸曲面や直角面に取り付けてフックやクリップとして使うことができる「マグネット式ダブルフック」に関するものである。このマグネット式ダブルフックは、ふたつの掛けフック機能とふたつのクリップ機能をあわせ持っているので、同時にふたつの文具備品を掛けたり、ふたつの紙片（標識・名刺等）をはさんだりできる。そして、「特殊なマグネット付きちょう番構造」により凹凸曲面・直角面・平面等に取り付けることができるので、鋼製パイプ（例えば棚のパイプ支柱・パイプ椅子・パイプベッド・屋外の交通標識パイプ支柱等）や鋼製直角面（例えば机の直角支柱・ロッカー角等）といった様々な場所に安定して取り付けることができる。このように、曲面や直角面といった特殊な取り付け位置も含めて、様々な場所でフックやクリップ機能を同時に使えるようにした「マグネット式ダブルフック」に関するものである。（図1のマグネット式ダブルフックの概要図1を参照）
【背景技術】
【０００２】
従来、単体のマグネットフックやマグネットクリップは多くの種類が考案されてきたが、これらのほとんどは鋼製平面に取り付けるものであり、凹凸曲面・直角面といった特殊な形状位置に取り付けられるものはなかった。（例えば、棚の鋼製パイプ支柱、パイプベッド支柱、パイプ椅子支柱、冷蔵庫扉の曲面、机の直角支柱等に取り付けられるものはなかった）。
【０００３】
そして、フックとクリップの機能を同時にあわせ持ったものはいくつか考案されていたが（例えば、特開2001-41222：多機能型フック、実開平05-41862：紙挟み）、これらはフックの形状・構造上、色々な文具備品掛けたりすることができない等の使い勝手上の不便さがあった。
【０００４】
また、従来の掛けフックには、「単体で上下に長がけ短掛けできるもの（上に長い掛け部をもち下に短い掛け部をもった一体となった掛けフック）」があるが、これは一度にふたつのものを掛けるとかさなって下に掛けたものが単独ではずせないという不便さがあった。「左右にフックを2連以上並べていくつも掛けれれるようにしたもの（3連フック、5連フック等）」といったものもあるが、これらは平面に取り付けて横長に使用するものであった。
【０００５】
このように、従来から考えられてきた掛けフック・クリップには、「凹凸曲面・直角面といった特殊な形状位置」に取り付けられるものがなく、このような取り付け場所で「2個以上のフック・クリップ機能」を使えるものもなかった。
【０００６】
これら従来から考えられてきたフック・クリップ機能の改善策（新たな機能を持った新たな使い方）として、今回発明した「マグネット式ダブルフック（例えば請求項1）」を使用することで、これらの問題点を解決し、様々な場所で使い勝手よくフックやクリップを利用することができる。
【特許文献１】特開−2001-41222（多機能型フック）
【特許文献２】特開−平06-210996（小物整理用品）
【特許文献３】特開−平07-186584（メモクリップ）
【特許文献４】実開−平05-41862（紙挟み）
【発明の開示】
【発明が解決しようとする課題】
【０００７】
解決しようとする課題は、以下に列挙するものである。
・課題1：掛けフックとして、平面以外の凹凸曲面・直角面に取り付けられるものはなかった。（例えば、棚の鋼製パイプ支柱、机の直角支柱等に取り付けられるものはなかった）
・課題2：クリップとして、平面以外の凹凸曲面・直角面に取り付けられるものはなかった。（同じく、棚の鋼製パイプ支柱、机の直角支柱等に取り付けられるものはなかった）
・課題3：フックとクリップの機能を同時にあわせ持ち、色々な文具備品掛けて使い勝手よく利用できるものがなかった。
・課題4：さらに、「2個のフック機能と2個クリップ機能」を同時に使えるものもなかった。
・課題5：対象面にマグネットを取り付けたときに、横ずれして安定性に欠ける場合があった。
・課題6：対象面にマグネットを取り付けたときに、直接接することで面を傷つける場合があった。
【課題を解決するための手段】
【０００８】
本発明は、平面以外の凹凸曲面・直角面に取り付ける方法として「特殊なマグネット付きちょう番構造」を開発し、これによりパイプ支柱曲面や机の鋼製直角面に安定して取り付けられるようにした。そして、ちょう番（ヒンジ）の両サイド（左右）に、ふたつの掛けフックを「ｈ1の高低段差」を設けて構成することで、ふたつの掛けフックにふたつの物をかさならずに掛けられるようにした。また、各フック部には紙片固定用のクリップ機能を付加し多機能性を高めた。
【０００９】
以下、今回発明した「マグネット式ダブルフック」の構造を、主タイプＩ（ＭＤＦ1-4：請求項1）を例に詳細説明していく。（図1、11、12を参照）。
【００１０】
図1にみられるように、この「マグネット式ダブルフック（タイプ ＭＤＦ1-4（ａ））」は、基本構造として「フック部材ＨＫ1（1）とフック部材ＨＫ3（3）のふたつのフックを接合用ちょう番（12）によりつなぎ接合した形」を持っている。「Ｌ型の掛けフック機能であるフック部材ＨＫ1（1）」の下側に「紙片固定用クリップ機能であるフック部材ＨＫ2（2）」を「接合用ちょう番（12）の片側平板」にはさみ合わせる形で取り付ける。そして、「コの字型の掛けフック機能であるフック部材ＨＫ3（3）」の下側に「同じく掛けフック機能であるフック部材ＨＫ4（4）」を「接合用ちょう番（12）のもう一方の片側平板」にはさみ合わせる形で取り付ける。フック部材ＨＫ3（3）とフック部材ＨＫ4（4）の間には、輪ゴムを2本程度通すことができる小さな隙間を設ける。「フック部材ＨＫ1（1）とフック部材ＨＫ2（2）を合わせたフック先端の掛け部分」には、上下に軟質樹脂ストッパーＳＰ2（16）を取付け、物を掛けたときに落ちないようにする。フック部材ＨＫ1（1）とフック部材ＨＫ3（3）の「物を掛ける垂直位置」に「段差（ｈ1）」を設けて、ふたつの物をかさならずに掛けられるようにする（図11上のｈ1参照）。フック（ＨＫ1（1）、ＨＫ3（3））に使い勝手よく物を掛けられると同時に、フック（ＨＫ2（2）、ＨＫ4（4））によりメモクリップや輪ゴム掛けとしても利用できるので、多機能性を持って幅広い使い方ができる。
【００１１】
次に、凹凸曲面・直角面対応の取付け機能として、ヒンジ（ちょう番）部分について説明する。この接合用ちょう番（12）は、左右ふたつのフック構成部分をつなぎ合わせており（ＨＫ1・ＨＫ2＋ＨＫ3・ＨＫ4）、フックＨＫ1（1）の背面とフックＨＫ4（4）の背面それぞれに「強力マグネット（13）、軟質樹脂シート（14）、軟質樹脂ストッパーＳＰ1（15）×2個」を取り付けている。直接マグネットに接しているフック部材「ＨＫ1（1）、ＨＫ4（4）」は鋼製材質としており、マグネットの磁力を増強するヨーク（継鉄）機能を持つ。フック部材先端まで伝播している磁場の外部への影響を抑えるため、フック露出部表面には薄口ビニール材でコーティングを施す。さらにマグネットの磁力を増強したタイプとして、「接合用ちょう番（12）、フック部材ＨＫ2（2）、フック部材ＨＫ3（3）」のすべてを鋼製材とし、すべての露出部表面に薄口ビニール材でコーティングを施した仕様を設ける。マグネット（磁石）の採用する種類としては、1例として、最も優れた磁力機能を有するといわれる「希土類・ネオジム」を用いる。強力マグネット（13）の両側には2個の軟質樹脂ストッパーＳＰ1（15）を設け、マグネットとストッパー表面に段差（ｌ1）を形成する（図12上、「ｌ1のあき」を参照）。この「ｌ1のあき」は、マグネットと取付け対象物の間に「ｌ1の隙間」を形成するので、マグネットの吸着力でなく吸引力で取り付く機能となっており、そのためマグネットが直接対象面に接しないため「対象物表面を傷つけず、且つ対象物の表面温度による影響を受けて温度が上がり磁力が減少するという欠点をなくす」という利点を持つ。一般的に、磁石の磁力（特にネオジム磁石の磁力）は温度が上がると磁力が低下する特性を持つが、「ｌ1の隙間」により接触温度の影響を遮断している。ヨークにより磁力を増強したネオジム磁石は丸型1個でも吸引力のみで十分取り付く力があり、取付け例の図4〜9で示したように色々な備品等を掛けることが可能である。
【００１２】
このヒンジ（ちょう番）機構を使った変形パターンを図10に示す。図10の斜視図1〜6、上面図1〜6を見て判るように、ヒンジが約20度から250度の範囲で回転するので、凹凸曲面や凹凸カド面に取り付けることが可能である。なお、未使用時は磁石の吸引力で自動で約20度に閉じるので、持ち運びがコンパクトで便利である。
【００１３】
このように構造を詳しく説明してきたが、主タイプＩ（ＭＤＦ1-4）の部材について簡単にまとめると、「4つのフック部材ＨＫ1（1）、ＨＫ2（2）、ＨＫ3（3）、ＨＫ4（4）と、接合用ちょう番（12）、強力マグネット（13）、軟質樹脂シート（14）、軟質樹脂ストッパーＳＰ1（15）、軟質樹脂ストッパーＳＰ2（16）」により形成されたマグネット式ダブルフックである。
【００１４】
主タイプＩ（ＭＤＦ1-4）の類型として、図2の主タイプII（ＭＤＦ2-4）や、図3の主タイプIII（ＭＤＦ2-5）があり、同じく前述の課題1〜6を解決する構造を持つ。
【００１５】
図2の主タイプII（ＭＤＦ2-4：同請求項2）は、フック部材ＨＫ5（5）により輪ゴムを掛けると同時にこの部分ＨＫ1に物も掛けられるようにしたものである。
【００１６】
図3の主タイプIII（ＭＤＦ2-5：同請求項3）は、ヒンジ左右部分に同機能の構造（ＨＫ1+ＨＫ2）を持つものである。このタイプの取り付け使用例を図8、9に示す。ふたつの掛けフックとして、またふたつの紙片固定用クリップとして使える。（言うまでもないが、今回開発した特殊ヒンジ機構により、凹凸曲面・平面にも自在に取り付けられる）。
【００１７】
（主タイプＩ〜III）以外の「基本タイプ、その他の発展タイプ」も含めて、全体で16種類のタイプがあり、それらを図13の全体系統図に示す。（タイプ（ｂ）は、タイプ（ａ）のＹ軸に対して対称形を示す）。図14・15に各側面図を一覧として示したが、これらすべてのタイプ（全16種類）の基本構造は、図14の「ＭＤＦ1-1」「ＭＤＦ2-1」が基になっている。これらふたつの基本タイプに、さらなる進歩性（発展型機能）を加えて完成されたものが、「主タイプＩ〜III」なのである。
【発明の効果】
【００１８】
本発明の「マグネット式ダブルフック」を使用した場合の利点は、次のようなものである。
・利点1：マグネット式掛けフックとして、平面のみならず、凹凸曲面・直角面にも取り付けられる。（パイプ支柱、直角支柱等にも取り付けられる）。
・利点2：マグネット式クリップとして、平面のみならず、凹凸曲面・直角面にも取り付けられる。（同じく、パイプ支柱、直角支柱等にも取り付けられる）。
・利点3：フックとクリップの機能を同時にあわせ持っているので、色々な文具備品をふたつフック掛けしたり、標識等の紙片を2枚クリップ止めすることができる。
・利点4：対象面にマグネットを取り付けたときに、「2個のマグネットと4個の樹脂ストッパー」により取り付くので、横ずれせずに安定性して取り付けられる。
・利点5：対象面にマグネットを取り付けたときに、直接接しないので（ｌ1の隙間を形成するので）、面を傷つけない。
・利点6：ヒンジ部左右のふたつのフック（ＨＫ）の掛け部分は、上下にｈ1の高低差を有しているので、ふたつのフックにふたつの物を近接して掛けても重なりにくく、使い勝手がよい。
【発明を実施するための最良の形態】
【００１９】
本発明の最良の実施の形態は、「主タイプＩ、II、III（同請求項1、2、3）」である。この主タイプＩ、II、IIIの概要図を図1、2、3に示す。
【００２０】
図1の主タイプＩ（同請求項1：ＭＤＦ1-4）は、フック部材ＨＫ1（1）でＬ型フック掛けができ、フック部材ＨＫ2（2）で紙片クリップ止めができ、フック部材ＨＫ3（3）でコの字型フック掛けができ、フック部材ＨＫ4（4）で輪ゴム掛けができる。
【００２１】
図2の主タイプII（同請求項2：ＭＤＦ2-4）は、左フック部材ＨＫ1（1）でＬ型フック掛けができ、フック部材ＨＫ2（2）で紙片クリップ止めができ、右フック部材ＨＫ1（1）でＬ型フック掛けができ、フック部材ＨＫ5（5）で輪ゴム掛けができる。
【００２２】
図3の主タイプIII（同請求項3：ＭＤＦ2-5）は、左フック部材ＨＫ1（1）でＬ型フック掛けができ、左フック部材ＨＫ2（2）で紙片クリップ止めができ、右フック部材ＨＫ1（1）でＬ型フック掛けができ、右フック部材ＨＫ2（2）で紙片クリップ止めができる。
【実施例１】
【００２３】
（ 主タイプＩ（同請求項1：ＭＤＦ1-4）の曲面取付け例 ）
図4は、今回発明した「マグネット式ダブルフック（ＭＤＦ1-4）」を使って、小机支柱（鋼製パイプ）に取り付け、はさみや鍵をフック掛けした例である。
【実施例２】
【００２４】
（ 主タイプＩ（同請求項1：ＭＤＦ1-4）の直角面取付け例 ）
図5は、今回発明した「マグネット式ダブルフック（ＭＤＦ1-4）」を使って、机支柱（鋼製直角面）に取り付け、はさみや鍵をフック掛けした例である。
【実施例３】
【００２５】
（ 主タイプＩ（同請求項1：ＭＤＦ1-4）の曲面取付け例 ）
図6は、今回発明した「マグネット式ダブルフック（ＭＤＦ1-4）」を使って、小棚支柱（鋼製パイプ）に取り付け、紙片（標識・名刺・メモ紙等）をクリップ止めし、数本の輪ゴムをフック掛けした例である。
【実施例４】
【００２６】
（ 主タイプＩ（同請求項1：ＭＤＦ1-4）の直角面取付け例 ）
図7は、今回発明した「マグネット式ダブルフック（ＭＤＦ1-4）」を使って、机支柱（鋼製直角面）に取り付け、紙片（標識・名刺・メモ紙等）をクリップ止めし、数本の輪ゴムをフック掛けした例である。
【実施例５】
【００２７】
（ 主タイプIII（同請求項3：ＭＤＦ2-5）の直角面取り付け例 ）
図8は、今回発明した「マグネット式ダブルフック（ＭＤＦ2-5）」を使って、机支柱（鋼製直角面）に取り付け、セロテープ(登録商標)やはさみをフック掛けした例である。
【実施例６】
【００２８】
（ 主タイプIII（同請求項3：ＭＤＦ2-5）の直角面取り付け例 ）
図9は、今回発明した「マグネット式ダブルフック（ＭＤＦ2-5）」を使って、ロッカー角（鋼製直角面）に取り付け、標識等の紙片1、紙片2をクリップ止めした例である。
【産業上の利用可能性】
【００２９】
今まで単に平面に取り付けて使ってきた「マグネットフックやマグネットクリップ」を、パイプ等の曲面や机等の直角面にも取り付けて使うことができるので、今までになかった場所や位置での新たな使い勝手が可能になる。例えば、家庭の屋内では「棚や洋服がけのパイプ支柱、パイプ椅子、パイプベッド、冷蔵庫扉や洗濯機の曲面」等に取り付けて使うことができ、オフィスでは「机の角や支柱の直角面、ロッカー角の直角面、オフィスチェアーの背もたれパイプ」等に取り付けて使うことができる。屋外では（例えば屋外調査時に簡易的に使う方法として）、「歩道に多く立ち並んでいる道路標識の支柱（鋼製の場合が多い）」に取り付けて使うことができ、「停車している車の表面（曲面）」にも傷つけずに取り付けて使うことができる。これらの新たな場所や位置で「ふたつのフック機能、ふたつのクリップ機能」を同時に組み合わせて利用できるので、いくつかの取り付け例でも示したように、従来になかった幅広い使い方が可能になるのである。
【図面の簡単な説明】
【００３０】
【図１】マグネット式ダブルフックの概要図1（タイプMDF1-4：主タイプＩ）
【図２】マグネット式ダブルフックの概要図2（タイプMDF2-4：主タイプII）
【図３】マグネット式ダブルフックの概要図3（タイプMDF2-5：主タイプIII）
【図４】マグネット式ダブルフックの取付け例1（MDF1-4：主タイプＩ、曲面）
【図５】マグネット式ダブルフックの取付け例2（MDF1-4：主タイプＩ、直角面）
【図６】マグネット式ダブルフックの取付け例3（MDF1-4：主タイプＩ、曲面）
【図７】マグネット式ダブルフックの取付け例4（MDF1-4：主タイプＩ、直角面）
【図８】マグネット式ダブルフックの取付け例5（MDF2-5：主タイプIII、曲面）
【図９】マグネット式ダブルフックの取付け例6（MDF2-5：主タイプIII、直角面）
【図１０】「マグネット式ダブルフック」の変形パターンの図（ ＭＤＦ1-4（ａ）の例 ）
【図１１】「マグネット式ダブルフック」の構造図（1）  （ ＭＤＦ1-4（ａ）で例示 ）
【図１２】「マグネット式ダブルフック」の構造図（2）  （ ＭＤＦ1-4（ａ）で例示 ）
【図１３】マグネット式ダブルフックの各タイプ系統図
【図１４】「マグネット式ダブルフック」の各タイプ側面図一覧（1）
【図１５】「マグネット式ダブルフック」の各タイプ側面図一覧（2）
【符号の説明】
【００３１】
以下の符号は主に「図1、2、3、14、15」で表記している.
1. フック部材（HK 1）
2. フック部材（HK 2）
3. フック部材（HK 3）
4. フック部材（HK 4）
5. フック部材（HK 5）
6. フック部材（HK 6）
7. フック部材（HK 7）
8. フック部材（HK 8）
9. フック部材（HK 9）
10. フック部材（HK 10）
11. フック部材（HK 11）
12. 接合用ちょう番
13. 強力マグネット
14. 軟質樹脂シート
15. 軟質樹脂ストッパー（SP 1）
16. 軟質樹脂ストッパー（SP 2）
【図１】
2006296643.tif 000003
【図２】
2006296643.tif 000004
【図３】
2006296643.tif 000005
【図４】
2006296643.tif 000006
【図５】
2006296643.tif 000007
【図６】
2006296643.tif 000008
【図７】
2006296643.tif 000009
【図８】
2006296643.tif 000010
【図９】
2006296643.tif 000011
【図１０】
2006296643.tif 000012
【図１１】
2006296643.tif 000013
【図１２】
2006296643.tif 000014
【図１３】
2006296643.tif 000015
【図１４】
2006296643.tif 000016
【図１５】
2006296643.tif 000017